(57)【要約】【課題】非鉄のショット・ピーニング媒体に対して有用なショット・ピーニング流量制御部を提供すること。【解決手段】制御部は、媒体を受け取るための入口と、入口と連通するオリフィスであって、媒体が前記オリフィスを通過し得る、オリフィスとを有する。弁がオリフィスを選択的に閉鎖する。弁は、開位置と閉位置との間で軸線方向に移動するように案内されるスピンドルを有する。閉位置ではオリフィスが閉鎖され、開位置ではスピンドルがオリフィスから離れて、媒体がオリフィスを通って流れることができる。流量センサは、オリフィスを出る媒体の流路の中へ延在する撓み可能な部材を有する。撓み可能な部材は、流路を通る媒体の流れの増減に応じて、ある程度撓むことになる。センシング・デバイスは、撓み可能な部材の撓みを測定し、撓み可能な部材の撓みに応じて変化する電気信号を生成する。【選択図】図１
2014151434.tif 000002
【特許請求の範囲】
【請求項１】
媒体を受け取る入口と、
前記入口と連通するオリフィスであって、前記媒体が前記オリフィスを通過し得る、オリフィスと、
前記オリフィスを選択的に閉鎖するための弁であって、前記オリフィスを出る前記媒体が流路を画定する、弁と、
前記流路の中へ延在する撓み可能な部材を含む流量センサであって、前記撓み可能な部材は、前記流路における前記媒体の流れに応答し、前記流路を通る前記媒体の流れの増加／減少に応じて、前記撓み可能な部材の撓みを増加／減少させる、流量センサと、
前記撓み可能な部材の前記撓みを測定して、前記撓み可能な部材の撓みに応じて変化する電気信号を生成するセンシング・デバイスとを備えるショット・ピーニング流量制御部。
【請求項２】
前記弁が、開位置と閉位置との間で軸線方向に移動するように案内されるスピンドルを含み、前記スピンドルが、前記閉位置で前記オリフィスと接触して、前記オリフィスを通る前記媒体の流れを遮断し、前記スピンドルが、前記開位置では前記オリフィスから離れることにより、媒体が前記オリフィスを通って流れることを可能にする、請求項１に記載のショット・ピーニング流量制御部。
【請求項３】
前記スピンドルが、前記スピンドルを前記オリフィスに対して閉位置に向かって付勢するばねを含み、前記スピンドルが、電磁石に向かって延在する部材を含み、前記電磁石に電流が流れるとき、前記部材が前記電磁石に向かって引っ張られて前記オリフィスから離れるようになっている、請求項２に記載のショット・ピーニング流量制御部。
【請求項４】
前記部材が、両極を有する第１の永久磁石を含み、第２の永久磁石が、前記コイルに対して固定され、両極を有し、前記第１の永久磁石から離隔されており、前記スピンドルの前記閉位置が、前記第１の永久磁石と前記第２の永久磁石との間の相対的に最も遠い間隔に対応し、前記スピンドルの前記開位置が、前記第１の永久磁石と前記第２の永久磁石との間の相対的により近い間隔に対応し、前記第１の磁石と前記第２の磁石の反対の極が、互いに対向するように配置されており、前記第１の磁石と前記第２の磁石の反対の極の引力が、前記スピンドルを前記オリフィスから引き離すように付勢する力をもたらす、請求項３に記載のショット・ピーニング流量制御部。
【請求項５】
前記部材が、前記スピンドルの反対側に遠位端を有する第１の永久磁石であるロッドであり、前記電磁石が中空の中心を有するコイルであり、前記コイルに電流が流れるとき、前記コイルの第１の端部が第１の極になって前記コイルの反対側の第２の端部が第２の極になり、前記スピンドルが前記オリフィスと接触したとき、前記ロッドが前記コイルの前記中心に内側へ延在し、前記ロッドの前記遠位端が前記コイルの前記第１の端部により近くなり、前記第２の永久磁石が、前記第２の端部に隣接して前記コイルに固定され、前記ロッドの前記遠位端に前記第１の永久磁石に面して反対の極を有し、前記コイルの前記第２の極が、前記第１の永久磁石に面する前記第２の永久磁石の前記極と同じ極である、請求項４に記載のショット・ピーニング流量制御部。
【請求項６】
前記撓み可能な部材が、固定端及び自由端を有する片持ち式の梁であり、前記自由端が前記流路の中へ延在する、請求項５に記載のショット・ピーニング流量制御部。
【請求項７】
前記センシング・デバイスが、近接センサであり、前記梁が撓むことによって前記近接センサと前記梁との間の間隔が変化するように前記梁に対して固定されており、前記間隔が前記近接センサによって検出される、請求項６に記載のショット・ピーニング流量制御部。
【請求項８】
媒体を受け取る入口と、
前記入口と連通するオリフィスであって、前記媒体が前記オリフィスを通過し得る、オリフィスと、
前記オリフィスを選択的に閉鎖するための弁であって、前記弁が、開位置と閉位置との間で軸線方向に移動するスピンドルを含み、前記スピンドルが、前記閉位置で前記オリフィスと接触して、前記オリフィスを通る前記媒体の流れを遮断し、前記スピンドルが、前記開位置では前記オリフィスから離れることにより、媒体が前記オリフィスを通って流れることを可能にし、前記オリフィスを出る前記媒体が流路を画定する、弁と、
前記流路の中へ延在する撓み可能な部材を含む流量センサであって、前記撓み可能な部材は、前記流路における前記媒体の流れに応答し、前記流路を通る前記媒体の流れの増加／減少に応じて、前記撓み可能な部材の撓みを増加／減少させる、流量センサと、
前記撓み可能な部材の前記撓みを測定して、前記撓み可能な部材の撓みに応じて変化する電気信号を生成するセンシング・デバイスとを備えるショット・ピーニング流量制御部。
【請求項９】
撓み可能な部材が、固定端及び自由端を有する片持ち式の梁であり、前記自由端が前記流路の中へ延在する、請求項８に記載のショット・ピーニング流量制御部。
【請求項１０】
前記センシング・デバイスが近接センサであり、前記梁が撓むことによって前記近接センサと前記梁との間の間隔が変化するように前記梁に対して固定されており、前記間隔が前記近接センサによって検出される、請求項９に記載のショット・ピーニング流量制御部。
【請求項１１】
前記弁が、前記スピンドルを前記オリフィスに対して閉位置に向かって付勢するばねを含み、前記スピンドルが、電磁石に向かって延在するロッドを含み、前記電磁石に電流が流れるとき、前記ロッド及び前記スピンドルが引っ張られて前記オリフィスから離れるようになっている、請求項８に記載のショット・ピーニング流量制御部。
【請求項１２】
前記ロッドが第１の永久磁石であり、第２の永久磁石が、前記電磁石に固定され、且つ両極を有し、前記第２の永久磁石が前記第１の永久磁石から離隔されており、前記スピンドルの前記閉位置が、前記第１の永久磁石と前記第２の永久磁石との間の相対的に最も遠い間隔に対応し、前記スピンドルの前記開位置が、前記第１の永久磁石と前記第２の永久磁石との間の相対的により近い間隔に対応し、前記第１の磁石と前記第２の磁石の反対の極が、互いに対向するように配置されており、前記第１の永久磁石と前記第２の永久磁石の前記反対の極の引力が、前記スピンドルを前記オリフィスから引き離すように付勢する力をもたらす、請求項１１に記載のショット・ピーニング流量制御部。
【請求項１３】
前記電磁石が中空の中心を有するコイルであり、前記コイルに電流が流れるとき、前記コイルの第１の端部が第１の極になって前記コイルの反対側の第２の端部が第２の極になり、前記スピンドルが前記オリフィスと接触したとき、前記ロッドが前記コイルの前記中心に内側へ延在し、前記ロッドの前記遠位端が前記コイルの前記第１の端部により近くなり、前記第２の永久磁石が、前記コイルの前記第２の端部に隣接して固定され、前記コイルの前記第２の極が、前記第１の永久磁石に面する前記第２の永久磁石の前記極と同じ極である、請求項１２に記載のショット・ピーニング流量制御部。
【発明の詳細な説明】
【背景技術】
【０００１】
粒状の媒体を用いるショット・ピーニングによる被加工物の処理は、その利点がより知れ渡るようになるにつれて、ますます多くの製品において、重要な仕上げステップとなっている。予測可能且つ反復可能な結果をもたらすために、ピーニング媒体を分配するためのピーニング流量を制御することが重要である。従来技術のピーニング・システムでは、媒体の流量は、固定オリフィスを用いて、場合によっては、機械弁又は電気弁を用いて設定されている。しかし、制御弁へのフィードバックは、一般に、弁によって分配される媒体の実流量をセンシングすることによってもたらされているわけではない。
【０００２】
大抵の場合、ピーニングに用いられる媒体は、何らかのタイプの鉄金属である。球状に調整されたカットワイヤ（ＳＣＣＷ）が、低コストであるためにしばしば用いられ、そのワイヤは鋼製品である。鉄金属は電磁弁で制御することができ、電磁弁が磁化されたとき、弁を通る金属媒体の落下が遅くなる。ガラス玉又は他のセラミック材料などの非金属の媒体を用いるのが望ましいことがある。この場合、電磁弁は、流れを計量する目的に対応しないことになる。理想的には、非鉄金属媒体用の弁は、弁によって分配される流量を測定すること、次いで弁を動作させて所望の流量を達成することに基づいて、流量を制御することができるべきである。
【発明の概要】
【課題を解決するための手段】
【０００３】
本発明は、媒体を受け取るための入口と、入口と連通するオリフィスであって、媒体が前記オリフィスを通過し得る、オリフィスとを有するショット・ピーニング流量制御部である。弁が選択的にオリフィスを閉鎖する。弁は、開位置と閉位置との間で軸線方向に移動するように案内されるスピンドルを有する。閉位置ではオリフィスが閉鎖され、開位置ではスピンドルがオリフィスから離れて、媒体がオリフィスを通って流れることができる。オリフィスを出る媒体が流路を画定する。流量センサは、流路の中へ延在する撓み可能な部材を有する。撓み可能な部材は、流路を通る媒体の流れの増減に応じて、ある程度撓むことになる。センシング・デバイスは、撓み可能な部材の撓みを測定し、撓み可能な部材の撓みに応じて変化する電気信号を生成する。
【図面の簡単な説明】
【０００４】
【図１】ショット・ピーニング・システムのショット・ピーニング制御部の全体図である。
【図２】ショット・ピーニング制御部の筐体の、内部パーツを示すように開いた図である。
【図３】図２の線３−３に関して得られた断面図である。
【図４】ショット・ピーニング制御部の筐体の、弁を除いて内部パーツを示すように開いた図である。
【図５】図４の線５−５に関して得られた断面図である。
【図６】筐体から取り出した弁の図である。
【図７】図６の線７−７に関して得られた弁の断面図である。
【図８】図７に類似の、スピンドルが開位置にある断面図である。
【発明を実施するための形態】
【０００５】
図１は、ショット・ピーニング・システムに組み込まれている本発明のショット・ピーニング流量制御部６の全体図を示す。媒体１２は、ショット・ピーニングで一般的に行なわれるように、ショット・ピーニング・システムに供給するホッパ１４の中に保持される。媒体１２は、制御部６の入口１０に流入し、制御部６の出口１６から流出する。所望の流量を有する適切に計量された量の媒体１２は、出口１６を出ると、空気源１８から混合管２０に導かれる空気と混合されて、媒体を被加工物上に導くノズル２４から外に出る。空気源１８からの空気の流量の制御は、比較的単純であり、ピーニングの技術分野で周知である。その部分をピーニングするのに用いられる空気と媒体１２の予測可能な混合を得るためには、制御部６を出る媒体１２の速度を制御する必要がある。空気／媒体の混合がより予測可能であるほど、ピーニングの結果がより予測可能になる。
【０００６】
鉄媒体の制御は、その磁性を利用することによって行うことができる。しかし、ガラス又はセラミックなどの非鉄金属の媒体が用いられるときには、媒体１２の制御はより困難である。本発明の制御部６は、非鉄金属の媒体１２を扱うように適合されている。本発明の制御部６は筐体８を有し、筐体８の入口１０が、ホッパ１４の下流に接続されている。入口１０のすぐ下流には、弁３０を保持する弁チャンバ２８がある。弁３０は、弁本体３２を有し、弁本体３２は、弁チャンバ２８の中にストラップ３４を用いて保持されている。媒体１２は、弁チャンバ２８を通るとき、弁３０のすべての側面周りを流れることができる。
【０００７】
弁３０は、スピンドル３６を含み、スピンドル３６は、図７に示されるように上方へ延在するロッド３８を有する。ロッド３８は、スピンドル３６の反対側に遠位端４０を有する。ロッド３８は磁化されており、第１の永久磁石４２を形成する。第１の永久磁石４２は、スピンドル３６の内部に第１の極４６を有する。図７では、第１の極４６はＮ磁極である。第１の永久磁石４２の第２の極４８は、図７では上方に向いており、Ｓ磁極である。ロッド３８の周りにばね５２が配置されており、スピンドル３６を押し下げる。ロッド３８及びスピンドル３６は、弁本体３２に対して軸線方向に移動するように案内される。ロッド３８は、電磁石コイル６０の中に上方へ延在するボア５６の中に上方へ延在する。コイル６０に電流が流れるとき、コイル６０は磁極を有する。コイル６０は、第１の端部６２において第１の極６４を有し、第１の極６４はＳ磁極である。コイル６０は、第２の端部６６において第２の極６８を有する。第２の極６８はＮ磁極である。ボア５６の端部には第２の永久磁石７０がある。第２の永久磁石７０はコイル６０に対して固定されており、第１の極７４及び第２の極７６を有する。第２の永久磁石７０の第１の極７４はＮ磁極であり、第１の永久磁石４２に面する。スピンドル３６は、オリフィス８０に接して密閉するように適合された錐面７８を有する。第１の永久磁石４２と第２の永久磁石７０の反対の極が互いに対向していて、コイル６０の上端の第２の極６８が第１の永久磁石４２の第２の極４８と反対のものであれば、弁３０が作動することになる。
【０００８】
オリフィス８０は梁８４の真上に配置されており、梁８４は、オリフィス８０の下に延在する自由端８６と、保持ブロック９０の中に保持された固定端８８とを有する片持ち梁である。図１に示されるように、制御部６を通って流れる媒体１２が流路９２を画定する。オリフィス８０を出る流路９２が梁８４に当たり、流路９２の中に含まれる媒体の流量に比例して梁８４が曲がる。梁８４は、媒体１２の流量がより大きければ、流量が低い場合より大きく曲がることになる。梁８４は、媒体１２がない状態では所定の位置に戻り、特定の流量に応じて所定の距離だけ下方へ曲がる薄い金属などの弾性材料の平坦な部片である。梁８４の下には、梁８４との間の距離に比例した電気信号を返す近接センサ９６がある。近接センサは、筐体８に固定されている。近接センサ９６がそれ自体と梁８４との間の距離を検出するので、近接センサ９６は、梁８４の撓みを測定し、それによって、近接センサ９６は、流路９２の中の流量を間接的に測定するのに用いられる。媒体１２は、梁８４に当たった後に、次いで出口１６を通って筐体８を出る。梁８４は、保持ブロック９０を取り外して新しい梁８４を設置することによって定期的に交換されてよい。これは、媒体１２の摩耗性に応じて、長時間の使用に対して必要になる可能性がある。
【０００９】
流路９２の中の流量を制御することが望ましく、これは、近接センサ９６を弁３０と組み合わせて用いることにより達成される。所定の速度（それは、流路９２の中に有するのに適する流量に相当することとなる）が決定され、制御部６が、その速度を達成するように調整される。既知量の媒体１２が制御部６によって所定の時間にわたって分配されることが可能であり、これが、媒体１２を分配する速度をもたらすことになる。この速度によって、梁８４が特定の量だけ曲がることになり、センサ９６の測定値を得ることが可能であり、センサ９６の測定値は、その速度に対応することが分かっている。近接センサ９６からの信号がコントローラ回路基板１０２へ入力として用いられ、コントローラ回路基板１０２がコイル６０に所定量の電流を送ることになる。コイル６０に電流が流れると、第１の極６４がエネルギーを与えられることになり、第２の極６８もエネルギーを与えられることになる。前述のように、第１の極６４がＳ極であり、第２の極６８がＮ極である。極６４、６８がエネルギーを与えられると、第１の永久磁石４２がコイル６０の中で上方へ動かされることになる。第１の永久磁石４２が上方へ動くとき、スピンドル３６が上方へ動いてオリフィス８０が開き、これは、図８に示されるように、スピンドル３６の開位置に相当する。コイル６０に電流が流れていないとき、スピンドルは図７に示された閉位置にある。スピンドル３６がオリフィス８０からさらに移動すると、オリフィス８０を通ってより多くの媒体１２が流れることができるようになる。スピンドル３６の錐面７８がオリフィス８０から離れれば離れるほど、流路９２における流量が大きくなる。そのため、梁８４が、近接センサ９６の中に、比例する信号を生成することになる。この信号が、コントローラ回路基板１０２に供給されて、流量を所望の流量に調節するためにスピンドルを上下に移動させることになる。スピンドル３６が、上方へ動き、すなわち、さらに開いて、より大きい流量に影響を及ぼすとき、ばね５２は、より大きな力を働かせる。スピンドル３６の上方への移動を支援するために、第１の永久磁石４２は、第２の磁石７０の第１の極７４と反対の第２の極４８を有する。換言すれば、第１の磁石４２と第２の磁石７０の反対の極が互いに対向している。したがって、第１の永久磁石４２と第２の永久磁石７０との間に引力が生じ、これが、ばね５２の力に打ち勝つのに役立つ。これによって、スピンドル３６を上方へ動かすのにコイル６０で必要とされるエネルギーがより少なくなる。一般に、コイル６０を流れる電流は、スピンドル３６を特定の位置に保つパルスで与えられる。オペレータは、流量を制御するアルゴリズムで種々の値を用いて流量を変化させることができる。
【００１０】
媒体１２は、出口１６を出ると空気源１８からの空気と混合され、ノズル２４を通って放出されることになる。制御部６を出る媒体１２の流量は、正確に測定されたものとなる。空気源１８からの空気を所望の速度に設定することによって、媒体に対する空気の混合比が、正確に決定され、予測可能なピーニングに影響を与えることが可能である。
【００１１】
本発明は、上記に示された詳細に限定されるものではなく、以下の特許請求の範囲の範囲内で変更され得る。
【符号の説明】
【００１２】
３  線
６  制御部
７  線
８  筐体
１０  入口
１２  媒体
１４  ホッパ
１６  出口
１８  空気源
２０  混合管
２４  ノズル
２８  弁チャンバ
３０  弁
３２  弁本体
３４  ストラップ
３６  スピンドル
３８  ロッド
４０  遠位端
４２  第１の永久磁石
４６  第１の極
４８  第２の極
５２  ばね
５６  ボア
６０  電磁石コイル
６２  第１の端部
６４  第１の極
６６  第２の端部
６８  第２の極
７０  第２の永久磁石
７４  第１の極
７６  第２の極
７８  錐面
８０  オリフィス
８４  梁
８６  自由端
８８  固定端
９０  保持ブロック
９２  流路
９６  近接センサ
１０２  コントローラ回路基板
【図１】
2014151434.tif 000003
【図２】
2014151434.tif 000004
【図３】
2014151434.tif 000005
【図４】
2014151434.tif 000006
【図５】
2014151434.tif 000007
【図６】
2014151434.tif 000008
【図７】
2014151434.tif 000009
【図８】
2014151434.tif 000010